(57)【特許請求の範囲】
【請求項１】
外装に誤消去防止機構を有する第１の記録媒体と外装に誤消去防止機構を有しない第２の記録媒体とを選択的に装着可能な記録装置であって、
前記誤消去防止機構の状態を検知する誤消去防止状態検知手段と、
装着された記録媒体が前記第１の記録媒体か前記第２の記録媒体かを判別する媒体判別手段とを有し、
装着された記録媒体が前記第１の記録媒体である場合は、該装着された記録媒体への書き込み及び消去の判断を前記誤消去防止状態検知手段の検知結果を用いて行い、装着された記録媒体が前記第２の記録媒体である場合は、該装着された記録媒体への書き込み及び消去の判断を前記誤消去防止状態検知手段の検知結果を用いないで行うことを特徴とする記録装置。
【請求項２】
外装に誤消去防止機構を有する第１の記録媒体と外装に誤消去防止機構を有しないで内部に誤消去防止するか否かの状態を示す誤消去防止レジスタ手段を有する第２の記録媒体とを選択的に装着可能な記録装置であって、
前記外装の誤消去防止機構の状態を検知する誤消去防止状態検知手段と、
装着された記録媒体の内部の誤消去防止レジスタ手段の状態を検知する誤消去防止レジスタ検知手段とを有し、
前記誤消去防止状態検知手段の検知結果または前記誤消去防止レジスタ検知手段の検知結果のいずれかが誤消去防止状態である場合は、装着された記録媒体への書き込み及び消去を禁止することを特徴とする記録装置。
【請求項３】
さらに表示部を有し、
前記表示部は、前記外装の誤消去防止機構によって誤消去防止状態にあるのか、記録媒体内部の誤消去防止レジスタ手段によって誤消去防止状態にあるのかを判別可能に表示することを特徴とする請求項２記載の記録装置。
【請求項４】
外装に誤消去防止機構を有する第１の記録媒体と外装に誤消去防止機構を有しない第２の記録媒体とを選択的に装着可能な記録装置であって、
装着された記録媒体の外装の誤消去防止機構に基づいて誤消去防止設定の状態を検知する外部検知手段と、
装着された記録媒体内の情報に基づいて誤消去防止設定の状態を検知する内部検知手段と、
装着された記録媒体が前記第１の記録媒体か前記第２の記録媒体かを判別する媒体判別手段とを有し、
装着された記録媒体が前記第１の記録媒体である場合は、前記外部検知手段及び前記内部検知手段の各検知結果に従って消去動作を行い、装着された記録媒体が前記第２の記録媒体である場合は、前記内部検知手段の検知結果に従って消去動作を行うことを特徴とする記録装置。
【請求項５】
さらに表示部を有し、
前記表示部は、前記外装の誤消去防止機構によって誤消去防止状態にあるのか、前記記録媒体内の情報によって誤消去防止状態にあるのかを判別可能に表示することを特徴とする請求項４記載の記録装置。
【請求項６】
前記内部検知手段は、装着された記録媒体内のレジスタの情報を読み込むことによって前記誤消去防止設定の状態を検知することを特徴とする請求項４または５に記載の記録装置。
【請求項７】
前記内部検知手段は、装着された記録媒体内に記録されたファイルの管理情報を読み込むことによって前記誤消去防止設定の状態を検知することを特徴とする請求項４乃至６のいずれか１項に記載の記録装置。
【発明の詳細な説明】
【０００１】
【発明の属する技術分野】
本発明は、記録媒体が交換可能な記録装置、特に記録媒体へのデータの書き込み及び消去などの制御を行う記録装置に関するものである。
【０００２】
【従来の技術】
現在、パソコン（パーソナルコンピュータ）やデジタルカメラ、デジタルカムコーダなどに装着されるデータ記録媒体には多くの種類がある。その中には、厚さが異なるだけで似たような形状のものも存在する。
【０００３】
したがって、本来、本体が装着されることを想定していない記録媒体が装着されてしまうこともありうる。その場合、装着された記録媒体やその記録媒体のデータを正しく認識できなかったり、誤ってデータを消去したり破壊してしまうこともある。
【０００４】
それを防ぐために、多くの機器では本体の挿入口のサイズや形状などを工夫して別の種類のカードが装着できないようにしたり、検出機構や通信手段によってカードの種類を検出し、違う種類の記録媒体にデータを書き込んだり消去してしまわないように対策している。
【０００５】
しかし、形状が略同じで厚さが異なる別の種類のカードが実用化されている。このカードの大きな違いは、一方のカード（タイプＡカードと呼ぶ）は図６の（ａ），（ｂ）に示すように外装に誤消去防止爪があり、もう一方のカード（タイプＢカード呼ぶ）は図６の（ｃ）に示すように誤消去防止爪がないものである。
【０００６】
図６中、１００はカード本体、１０１は誤消去防止爪である。また、図６の（ａ）は誤消去防止解除の状態、（ｂ）は誤消去防止爪１０１を矢印の方向にスライドさせた誤消去防止の状態、（ｃ）はタイプＡカードで誤消去防止爪の位置が外装で覆われている状態を示している。
【０００７】
【発明が解決しようとする課題】
ところで、上記の二つのタイプのカードの場合、形状が略同じなので、タイプＡカードが装着できるようにした本体側はタイプＢカードも装着できる。このため、仮にタイプＢカードの誤消去防止爪が折れた誤消去防止状態のカードが本体に装着された場合、本体側の誤消去防止爪検知手段は誤消去防止爪が誤消去防止方向にスライドしたものと判断し、したがって誤消去防止爪機構のないカードには書き込みや消去が一切できないことになってしまう。
【０００８】
逆に誤消去防止爪検出機構によっては、タイプＢカードは常に誤消去防止されてないものと判断され、誤消去防止爪機構のないカードは消去されてはいけないカード情報も消去されてしまう。
【０００９】
また、タイプＢカードがタイプＡとは別の方法で誤消去防止機構を有する場合、例えばカード内部のレジスタに誤消去防止の状態を記憶するような方法で誤消去防止機構を有する場合は、操作者が誤消去防止したり解除したりする際に、本体にカードを挿入した状態で何らかの本体側の操作でレジスタの内容を書き換えて誤消去防止するかしないかを設定することになる。
【００１０】
このように、本体がタイプＡ、Ｂの両方のカードを装着できる場合は、操作者がそれぞれ別の方法で誤消去防止設定をしなければならない。
【００１１】
このため、操作者がカードを本体に装着した際、本体がカードの内容を書き込みまたは消去を拒否したとき、何が原因で書き込み及び消去ができないのか判断に困ることがある。
【００１２】
本発明は、これらの問題を適切に解決することにあり、面倒な設定を行うことなく、適切に誤消去防止及び解除の制御を行うことができる記録装置を得ることを目的としている。
【００１３】
【課題を解決するための手段】
上記目的を達成するため、本発明では、記録装置を次の（１）〜（７）のとおりに構成する。
（１）外装に誤消去防止機構を有する第１の記録媒体と外装に誤消去防止機構を有しない第２の記録媒体とを選択的に装着可能な記録装置であって、
前記誤消去防止機構の状態を検知する誤消去防止状態検知手段と、
装着された記録媒体が前記第１の記録媒体か前記第２の記録媒体かを判別する媒体判別手段とを有し、
装着された記録媒体が前記第１の記録媒体である場合は、該装着された記録媒体への書き込み及び消去の判断を前記誤消去防止状態検知手段の検知結果を用いて行い、装着された記録媒体が前記第２の記録媒体である場合は、該装着された記録媒体への書き込み及び消去の判断を前記誤消去防止状態検知手段の検知結果を用いないで行う記録装置。
（２）外装に誤消去防止機構を有する第１の記録媒体と外装に誤消去防止機構を有しないで内部に誤消去防止するか否かの状態を示す誤消去防止レジスタ手段を有する第２の記録媒体とを選択的に装着可能な記録装置であって、
前記外装の誤消去防止機構の状態を検知する誤消去防止状態検知手段と、
装着された記録媒体の内部の誤消去防止レジスタ手段の状態を検知する誤消去防止レジスタ検知手段とを有し、
前記誤消去防止状態検知手段の検知結果または前記誤消去防止レジスタ検知手段の検知結果のいずれかが誤消去防止状態である場合は、装着された記録媒体への書き込み及び消去を禁止する記録装置。
（３）さらに表示部を有し、
前記表示部は、前記外装の誤消去防止機構によって誤消去防止状態にあるのか、記録媒体内部の誤消去防止レジスタ手段によって誤消去防止状態にあるのかを判別可能に表示する前記（２）記載の記録装置。
（４）外装に誤消去防止機構を有する第１の記録媒体と外装に誤消去防止機構を有しない第２の記録媒体とを選択的に装着可能な記録装置であって、
装着された記録媒体の外装の誤消去防止機構に基づいて誤消去防止設定の状態を検知する外部検知手段と、
装着された記録媒体内の情報に基づいて誤消去防止設定の状態を検知する内部検知手段と、
装着された記録媒体が前記第１の記録媒体か前記第２の記録媒体かを判別する媒体判別手段とを有し、
装着された記録媒体が前記第１の記録媒体である場合は、前記外部検知手段及び前記内部検知手段の各検知結果に従って消去動作を行い、装着された記録媒体が前記第２の記録媒体である場合は、前記内部検知手段の検知結果に従って消去動作を行う記録装置。
（５）さらに表示部を有し、
前記表示部は、前記外装の誤消去防止機構によって誤消去防止状態にあるのか、前記記録媒体内の情報によって誤消去防止状態にあるのかを判別可能に表示する前記（４）記載の記録装置。
（６）前記内部検知手段は、装着された記録媒体内のレジスタの情報を読み込むことによって前記誤消去防止設定の状態を検知する前記（４）または（５）に記載の記録装置。
（７）前記内部検知手段は、装着された記録媒体内に記録されたファイルの管理情報を読み込むことによって前記誤消去防止設定の状態を検知する前記（４）乃至（６）のいずれか１項に記載の記録装置。
【００１６】
【発明の実施の形態】
以下、本発明の実施例を図面について説明する。
【００１７】
［実施例］
図１は本発明の実施例の構成を示すブロック図であり、パソコンとデジタルカメラなどの記録装置全体のシステム構成を示している。
【００１８】
図１において、破線で囲んだ部分１は画像処理装置である。１０は撮影レンズ、１２は絞りやシャッターなどの露光量制御部材、１４は光学像を電気信号に変換する撮像素子、１６は撮像素子１４のアナログ出力信号をディジタル信号に変換するＡ／Ｄ変換器である。
【００１９】
１８は撮像素子１４、Ａ／Ｄ変換器１６、Ｄ／Ａ変換器２６にクロック信号や制御信号を供給するタイミング信号発生回路であり、データフロー制御回路２２及びシステム制御回路５０により制御される。
【００２０】
２０は画像処理回路であり、Ａ／Ｄ変換器１６からのデータあるいはデータフロー制御回路２２からのデータに対して所定の画素補間処理や色変換処理を行う。また、画像データを基に露光量制御や測距制御のための演算処理などを行っている。
【００２１】
２２は上述のデータフロー制御回路であり、Ａ／Ｄ変換器１６、タイミング信号発生回路１８、画像処理回路２０、画像表示メモリ２４、Ｄ／Ａ変換器２６、メモリ３０、圧縮・伸長回路３２などの間のデータの入出力を制御する。
【００２２】
そして、撮影記録時にはＡ／Ｄ変換器１６からのデータが画像処理回路２０、データフロー制御回路２２を介して、あるいはＡ／Ｄ変換器１６からのデータが直接データフロー制御回路２２を介して、画像表示メモリ２４あるいはメモリ３０に書き込まれる。
【００２３】
２４は上述の画像表示メモリ、２６はＤ／Ａ変換器、２８はＴＦＴ，ＬＣＤを用いた画像表示部であり、画像表示メモリ２４に書き込まれた表示用の画像データはＤ／Ａ変換器２６を介してこの画像表示部２８により表示される。また、画像表示部２８により撮像した画像データを逐次表示すれば、電子ファインダー機能を実現することが可能である。
【００２４】
３０は撮影した静止画像や動画像を格納するためのメモリであり、所定枚数の静止画像や所定時間の動画像を処理するために一時的に格納するのに十分な記憶容量を備えている。また、このメモリ３０は、システム制御回路５０の作業領域としても使用することが可能である。
【００２５】
３２は画像データを圧縮伸長する圧縮・伸長回路であり、メモリ３０に格納された画像を読み込んで圧縮処理あるいは伸長処理を行い、処理を終えたデータをメモリ３０に書き込む。
【００２６】
３１はテープへ記録するための処理回路で、例えばデジタルビデオのフォーマット形式にあうように信号を変換したり情報を付加したりする。３３はテープなどの記録媒体で、不図示のテープの走行やテープドラムの回転を制御する制御駆動手段によって適切に制御され、画像データの記録、再生が行われる。
【００２７】
４０は絞りやシャッターなどの露光量制御部材１２を制御する露光制御手段、４２は撮影レンズ１０のフォーカシングを制御する測距制御手段、４４は撮影レンズ１０のズーミングを制御するズーム制御手段であり、露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００２８】
５０は画像処理装置１の全体を制御する上述のシステム制御回路、５２はシステム制御回路５０の動作用の定数、変数、プログラム等を記憶するＦＬＡＳＨ，ＲＯＭなどのメモリである。
【００２９】
５４はシステム制御回路５０でのプログラムの実行に応じて、文字、画像、音声等を用いて動作状態やメッセージ等を表示する液晶表示装置、スピーカー等の表示部であり、画像処理装置１の操作部近辺の視認し易い位置に単数あるいは複数個所設置され、例えばＬＣＤやＬＥＤ、発音素子等の組み合わせにより構成されている。
【００３０】
５６は各種調整値などを記憶しておくための電気的に消去・記録可能な不揮発性メモリであり、例えばＥＥＰＲＯＭ等が用いられる。
【００３１】
以下はスイッチの説明となるが、６０、６２、６４及び７０はシステム制御回路５０の各種の動作指示を入力するための操作手段であり、スイッチやダイアル、タッチパネル、視線検知によるポインティング、音声認識装置等の単数あるいは複数の組み合わせで構成される。これらの操作手段の具体的な説明を行う。
【００３２】
６０はモードダイアルスイッチであり、電源オフ、撮影記録モード、再生モード、消去モード等の各機能モードを切り替え設定することができる。
【００３３】
６２は静止画撮影トリガースイッチ、６４は動画撮影トリガースイッチ、７０は各種ボタンやタッチパネル等からなる操作部で、ズームスイッチ、メニューボタン、セットボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン等が設けられている。
【００３４】
８０は電源制御手段であり、電池検出回路、ＤＣ−ＤＣコンバータ、通電するブロックを切り替えるスイッチ回路等により構成されており、電池の装着の有無、電池の種類、電池残量の検出を行い、その検出結果及びシステム制御回路５０の指示に基づいてＤＣ−ＤＣコンバータを制御し、必要な電圧を必要な期間、記録媒体３３を含む各部へ供給する。
【００３５】
８２、８４はコネクタ、８６は電池やＡＣアダプター等からなる電源手段である。
【００３６】
９０はメモリカードなどの記録媒体２００とのインタフェース、９２はメモリカード等の記録媒体２００と接続を行うコネクタ、９８は画像処理装置１のコネクタ９２に装着可能な記録媒体２００が装着されているか否かを検知する記録媒体着脱検知手段である。
【００３７】
９９はコネクタ９２に装着された記録媒体２００の誤消去防止爪（誤消去防止機構）の状態を検知する誤消去防止爪検知手段（誤消去防止状態検知手段）である。
【００３８】
１１０は通信手段で、ＲＳ２３２ＣやＵＳＢ、ＩＥＥＥ１３９４、無線通信、等の各種通信機能を有する。
【００３９】
１１２は通信手段１１０により画像処理装置１を他の機器と接続するコネクタであり、無線通信の場合はアンテナである。
【００４０】
２００は上述のメモリカード等の記録媒体であり、この記録媒体２００は、半導体メモリや磁気ディスク等から構成される記録部２０２、画像処理装置１とのインタフェース２０４、画像処理装置１と接続を行うコネクタ２０６を備えている。
【００４１】
（動作説明）
次に、図２〜図５のフローチャートを用いて本実施例の動作を説明する。これらのフローチャートに示す制御処理は、システム制御回路５０のＣＰＵによりあらかじめメモリに記憶されたプログラムに従って実行されるものである。
【００４２】
まず、カメラとしての静止画を撮影する動作を図２のフローチャートで概略説明する。
【００４３】
Ｓ１でモードダイヤルを検知し、ダイヤルが電源ＯＦＦの位置にあるかどうかを判断する。
【００４４】
ここで電源ＯＦＦの位置であれば、Ｓ２の電源遮断シーケンスを実行する。つまり、それまで動作させていた処理を適切に停止し、各部の電源をＯＦＦにする。
【００４５】
Ｓ１でモードダイヤルが記録モード位置であれば、Ｓ３以降の記録モードシーケンスを実行する。
【００４６】
Ｓ３でモードダイヤルが記録モード位置でなくさらに、Ｓ４で再生モード位置であれば、Ｓ２０以降の再生モードシーケンスを実行する。つまり、これまで記録モードであれば記録モードを解除し、テープやカードからの情報を再生して表示部２８に動画像あるいは静止画像を表示する。
【００４７】
Ｓ４で再生モード位置でなく、消去モード位置であれば、Ｃに以降してＳ２１以降の消去モードシーケンスを実行する。つまり、これまで記録モードであれば記録モードを解除し、以降の消去モードを実行する。消去モードについては、後に述べる。
【００４８】
Ｓ５では記録モードの開始処理を行い、これまで再生モードであればそれを解除し、撮像素子１４への露光量調節やレンズ１０の焦点調節動作を有効にする。
【００４９】
Ｓ６では液晶ビューファインダーなどの表示手段の動作を有効にし、これにより撮像された画像がファインダーに表示される。
【００５０】
Ｓ７では媒体状態をチェック（調査）し、記録可能状態であればＢへ移行し、記録不可能状態であれば動作フローはＡに戻る。この媒体状態の調査は、本発明の主旨であるので別途詳細に述べる。
【００５１】
Ｓ８では静止画撮影トリガースイッチ６２の状態を調べる。静止画撮影トリガースイッチがＯＮであれば、Ｓ１０でカードへ静止画を記録し、動作フローはＡに戻る。
【００５２】
Ｓ８で静止画撮影トリガースイッチがＯＦＦであれば、Ｓ１１で動画撮影トリガースイッチ６４の状態を調べる。動画撮影トリガースイッチ６４がＯＮであれば、Ｓ１２でテープへの動画記録動作を有効にして以後は初めのＡに戻り、次にＳ１３で動画記録が無効になるかあるいはＳ２で電源が遮断されるまで、テープへの動画記録を続ける。
【００５３】
Ｓ１１で動画撮影トリガースイッチ６４がＯＦＦであれば、Ｓ１３でテープへの動画記録を無効にし、動作フローはＡに戻る。
【００５４】
以上がシステム全体の概略の動作である。
【００５５】
次に、本発明の中心となる上述の図２のＳ７あるいは後述する図４のＳ２１０での媒体状態のチェック動作を詳細に述べる。図３はその動作フローチャートである。
【００５６】
Ｓ７０でカードが本体に装着されているかどうかを検知する。
【００５７】
検知の方法は、カードと本体の接続端子の一部がＣＤ（ＣＡＲＤ  ＤＥＴＥＣＴ）端子として専用に設けられているカードの場合は、そのＣＤ端子の状態を本体のＣＰＵなどのポート（図１の記録媒体着脱検知手段９８）を介して検知すればよい。通常は、ＣＤ端子はカード側でＧＮＤに接地されている。
【００５８】
また、本体側のＣＰＵのＣＤ端子ＰＯＲＴは、カードが装着されてなければＨｉ（高）レベルになっている。したがって、カードが装着されると本体ＣＰＵ側のＣＤ端子がＬｏｗ（低）レベルになることで装着を判断する。
【００５９】
ＣＤ端子がないカードの場合は、カードとの通信を適当な時間（所定の時間間隔）で試みて、正しく通信できればカードが装着されたと判断すればよい。
【００６０】
Ｓ７０でカードが装着されていなければ、Ｓ７１でカードが装着されてない旨を表す表示、例えば「カードがありません」などと表示部２８に表示する。
【００６１】
Ｓ７０でカードが装着されていれば、Ｓ７２でカードの種類を判別する。
【００６２】
つまり、外装に誤消去防止爪機構が存在するタイプの第１の種類のカード（タイプＡ）か、誤消去防止爪が存在しない第２の種類のカード（タイプＢ）かを判別する。タイプＡならＳ７３、タイプＡでなければ（すなわち誤消去防止爪機能のないカード）ならＳ７５へ移行する。
【００６３】
ここで、誤消去防止爪機構が存在するタイプＡのカードの誤消去防止爪の機構は、図６に示すように例えばパソコン用の３．５ｉｎｃｈフロッピーディスクの誤消去防止爪旗機構のようなスライド式のものを想定している。しかし、ＶＨＳビデオテープカセットのような爪を折る方式、さらにはテープを張る方式などでもよい。つまり、媒体の外観上に誤消去防止爪と同等の機能が存在するものである。
【００６４】
そして、本体側では装着される前提のカード媒体の機構に合わせて対応する検知機構を用意する必要があるのは言うまでもない。これをここでは仮に外装検知方式と呼ぶことにする。
【００６５】
また、タイプＢのカードとは、誤消去防止の機構は外観上は有しないで、カード内部のレジスタやファイルなどに、書き込みまたは消去可能か否かの情報を持っているものを言う。これを仮に内部フラグ方式と呼ぶことにする。
【００６６】
上記タイプＡのカードが外装検知方式と重複して、タイプＢの内部フラグ方式を有するものであってもよい。ここでは、外装検知方式を有すものをタイプＡ、外装検知方式を持たないものをタイプＢとしている。
【００６７】
タイプＡのカードを書き込み消去禁止にするには、人がカードの爪やスライドスイッチを操作するものであるが、タイプＢの場合は、カードを本体やパソコンなどに装着した状態で、本体やパソコンの操作で設定される。これは本体またはパソコンでのアプリケーションソフト上のユーザインタフェースに関連するもので、種々の方法がある。
【００６８】
ここでは誤消去防止の設定方法については言及しない。またここで、誤消去防止の意味は単に消去を禁止するものでなく、追加書き込み、上書き書き込みなどを禁止するものである。
【００６９】
次に、本体側でカードがタイプＡであるかタイプＢであるかを制御する判別方法について述べる。この方法として、例えばカード内部のレジスタ（仮にカードインフォメーションレジスタという）にどんな種類のタイプが記載されている部分があって、本体はカードと通信を行ってそのカードインフォメーションレジスタ（誤消去防止レジスタ手段）を読み込むことで判断すればよい。
【００７０】
このような判別方法はＰＣカード（ＰＣＭＣＩＡ）などで一般的であるので、ここでの詳細な説明は省く。
【００７１】
上記Ｓ７３では、カードに誤消去防止爪機能が付いているので、この誤消去防止爪の状態が誤消去防止になっているか、逆に書き込みまたは消去許可になっているかを調べる。
【００７２】
誤消去防止になっていれば、Ｓ７４でその旨を表示部２８に例えば「このカードは誤消去防止爪が書き込み、消去が禁止になっています」などと表示する。そして、動作フローは図２のＡに戻る。
【００７３】
Ｓ７５では、誤消去防止爪機能がないカードであるので、カード内部のレジスタを読み出して、レジスタの状態が書き込み消去禁止になっているか調べる。
【００７４】
書き込み消去禁止になっていれば、Ｓ７６でその旨を表示部２８に例えば「このカードのレジスタは書き込み消去禁止に設定されています」などと表示する。そして動作フローは図２のＡに戻る。
【００７５】
Ｓ７３あるいはＳ７５でカードが書き込み消去可能であればＳ７７に移行する。
【００７６】
Ｓ７７ではカードに書き込まれているファイルの管理情報を調べる。
【００７７】
ここでファイルの管理情報とは、複数のファイルがカードに記録されている場合、複数のファイル全体を一括して書き込み禁止とする情報をカードに設定したり、個々のファイルごとに書き込み禁止の情報を持たせるものである。
【００７８】
Ｓ７８で複数のファイル全体が書き込み禁止になっていると判断されれば、Ｓ７９でその旨を表示部２８に例えば「このカード内のファイルはすべて書き込み消去禁止に設定されています」などと表示する。そして動作フローは図２のＡに戻る。
【００７９】
Ｓ７８で複数のファイル全体が書き込み禁止になっていなければ、このカード状態調査動作フローは終了する。つまり、図２のＳ７からこのシーケンスを実行した場合はＢへ、図４のＳ２１０からこのシーケンスを実行した場合はＤに移行する。
【００８０】
以上でカードの状態調査であるところ図３の動作フローの説明を終わる。
【００８１】
次に、図２のＳ２１の消去動作について図４のフローチャートにより詳細に述べる。
【００８２】
まず、Ｓ２１０では図３で説明した媒体調査を実行する。
【００８３】
この媒体調査で、外装検知でカード全体の消去禁止と判断するか、内部フラグ検知でカード全体の消去禁止と判断するか、あるいはファイル管理情報でカード内のファイル全体が消去禁止になっていると判断した場合は、図２のＡに戻ることになる。したがって、Ｓ２２１に移行するのは個々のすくなくとも一部のファイルの消去は許可されている場合である。
【００８４】
Ｓ２１１では本体の消去モードとしてカード内の複数のファイルの全体を消去する全消去モードか、指示した特定の一つのファイルを消去するシングル消去モードであるかを判断する。全消去モードであればＳ２１２へ、一枚消去モードであればＳ２２０へ移行する。
【００８５】
Ｓ２１２ではＳ２１０で調査した結果をもとに全消去許可であるかを判断し、カード内に消去禁止に設定されたファイルがなければＳ２１３でファイルをすべて消去し、Ｓ２１４へ移行する。
【００８６】
Ｓ２１４では消去が完了した旨を表示部２８に例えば「消去が終了しました」などと表示する。
【００８７】
Ｓ２１２でカード内に消去が禁止されたファイルが一つでもあれば、その旨を表示部２８に例えば「消去が禁止されているファイルがあります」などと表示する。そして動作フローは図２のＡに戻る。
【００８８】
Ｓ２２０では、シングル消去モードであり、指示された特定のファイルがＳ２１０で調査した結果、消去が許可されているかどうか判断する。許可されていればＳ２２１で指示された特定のファイルを消去の後、Ｓ２１４へ移行する。消去が許可されていなければ、Ｓ２２２でそのファイルは消去できない旨を表示部２８に例えば「このファイルは消去が禁止されています」などと表示する。そして動作フローは図２のＡに戻る。
【００８９】
［その他の実施例］
（いずれかの誤消去防止）
次に第２の実施例について述べる。先の実施例では、タイプＡのカードは、誤消去防止爪機構など外装検知式は内部フラグ検知を兼ねても良いとした。しかし、この場合、管理情報と内部フラグ情報と外装検知機構の状態が一致しない場合がありうる。例えば、本体やパソコンでカードの内部フラグを誤消去防止に設定しても、カードを本体から外した状態で誤消去防止爪を動かして誤消去防止解除にすることは容易である。このような外装検知方式と内部フラグ検知方式の両方の機構を有するカードの装着が可能なシステムの場合は、外装検知あるいは内部フラグのいずれかが誤消去防止側に設定されていたら、システムはこのカードを誤消去防止と扱うようにする。
【００９０】
図５はこのような場合の媒体状態のチェック動作を示すフローチャートである。図３の例では、タイプＡの場合には内部フラグを検知しなかったのに対し、図５ではＳ１７５で内部フラグの判断をタイプＡ，Ｂによらず行うようにしている。そして、誤消去防止の状態を表示部２８に例えば外装機構によって誤消去防止になっている場合は「このカードは、誤消去防止爪が誤消去防止に設定されています。」などと表示し、内部フラグが誤消去防止になっている場合は、「このカードのレジスタは誤消去防に設定されています。」などと表示する。
【００９１】
なお、図５のフローチャートのＳ１７０〜Ｓ１７４、Ｓ１７６、及びＳ１７７〜Ｓ１７９に示す動作は、それぞれ図３のフローチャートのＳ７０〜Ｓ７４、Ｓ７６、及びＳ７７〜Ｓ７９の動作と同じであるので、説明は省略する。
【００９２】
さらに第３の実施例として、上記第２の実施例と同様に、外装検知方式と内部フラグ検知方式の両方の機構を有するカードの装着が可能なシステムの場合に、外装検知機構が誤消去防止設定されていたら、内部フラグの状態に関わらず、システムはこのカードを誤消去防止と扱うようにしてもよい。
【００９３】
この場合、外装検知機構が誤消去防止設定でなく、内部フラグが誤消去防止に設定されている場合は、操作者に確認を促す。例えば、表示部２８に消去動作であれば「このカードはレジスタで、誤消去防止に設定されています。消去してもよろしいですか？」などと表示し、何らかの操作者からの確認の後に消去を実行する。
【００９４】
この動作フローでは、図５の例と同様、内部フラグが誤消去防止になっていればその旨を表示の後に操作者の操作に応じて図２のＡに戻る。
【００９５】
外装検知と内部フラグで矛盾があるときは、外装検知機構の誤消去防止を最優先し、書き込みあるいは消去するときのみ確認する。
【００９６】
【発明の効果】
以上説明したように、本発明によれば、面倒な設定を行うことなく、記録媒体の書き込み、消去を適切に制御することができる。
また、第１の発明によれば、外装に誤消去防止機構を有する記録媒体を使用した場合、内部フラグの存在を知る必要がなく、誤消去防止するしないは外装機構だけとなるので、わかりやすい。
【００９７】
また、外装に誤消去防止機構を有しない記録媒体を使用した場合でも、本体が誤って記録または消去してしまったり、逆に本体が誤消去防止と判断して記録媒体を使用できないというようなことはなく、適切に使用できる。
【００９８】
さらに、第２の発明によれば、外装の誤消去防止機構を有する記録媒体がさらに内部に誤消去防止レジスタ手段を有していて、その状態が矛盾する場合でも、いずれかの機構，手段が誤消去防止状態であれば本体は誤消去防止とするので、確実な誤消去防止効果がある。
【００９９】
これは、記録媒体内のデータに対してセキュリティを優先するシステムや、勝手に書き込まれては困るシステム、暗証番号を入力しないと書き込み消去ができないようにしたいシステムなどでは、誤って書き込み消去される可能性が低くなるので、安全性、信頼性が向上する効果がある。
【０１００】
さらに、第３の発明によれば、適宜表示部に適切な表示をするようにしているので、外装の誤消去防止機構を有する記録媒体を使用しても内部のフラグで誤消去防止機構を有する記録媒体を使用しても、何が原因で記録及び消去ができないのか混乱することなく適切に判断できる。
【図面の簡単な説明】
【図１】  本発明の実施例の構成を示すブロック図
【図２】  実施例の静止画撮影の動作を示すフローチャート
【図３】  実施例の媒体状態のチェック動作を示すフローチャート
【図４】  実施例の消去動作を示すフローチャート
【図５】  他の実施例の媒体状態のチェック動作を示すフローチャート
【図６】  カードの外観を示す斜視図
【符号の説明】
１  画像処理装置
１０  撮影レンズ
１２  露光量制御部材
１４  撮像素子
１６  Ａ／Ｄ変換器
１８  タイミング信号発生回路
２０  画像処理回路
２２  データフロー制御回路
２４  画像表示メモリ
２６  Ｄ／Ａ変換器
２８  画像表示部
３０  メモリ
３２  圧縮・伸長回路
３１  処理回路
３３  記録媒体
４０  露光制御手段
４２  測距制御手段
４４  ズーム制御手段
５０  システム制御回路
５２  メモリ
５４  表示部
５６  不揮発性メモリ
６０  モードダイアルスイッチ
６２  静止画撮影トリガースイッチ
６４  動画撮影トリガースイッチ
７０  操作部
８０  電源制御手段
８２  コネクタ
８４  コネクタ
８６  電源手段
９０  インタフェース
９２  コネクタ
９８  記録媒体着脱検知手段
９９  誤消去防止爪検知手段（誤消去防止状態検知手段）
１１０  通信手段
１１２  コネクタ（アンテナ）
２００  記録媒体
【図１】
0004408497.tif 000002
【図２】
0004408497.tif 000003
【図３】
0004408497.tif 000004
【図４】
0004408497.tif 000005
【図５】
0004408497.tif 000006
【図６】
0004408497.tif 000007